(57)【特許請求の範囲】
【請求項１】
肺静脈を電気的に隔離するためのバルーン型アブレーションカテーテルと、肺静脈電位測定用の電極カテーテルとを備えてなるアブレーションカテーテル装置であって；
前記バルーン型アブレーションカテーテルは、複数のルーメンを有するカテーテルシャフトと、
前記カテーテルシャフトの先端に装着された先端チップと、
前記カテーテルシャフトの先端部分を内包するように前記カテーテルシャフトに装着され、前記カテーテルシャフトの何れかのルーメンを流通する液体がその内部に供給されることによって拡張するバルーンと、
前記バルーンの外表面の少なくとも一部に形成された金属薄膜からなり、患者の体表に貼付される対極板との間で高周波電流が通電されるバルーン表面電極と、
前記バルーン表面電極と電気的に接続されているとともに、前記カテーテルシャフトの何れかのルーメンに挿通された導線とを備え、
前記バルーン表面電極の形成領域の少なくとも一部において、前記バルーンを拡張するための液体を前記バルーン表面電極に灌注するために、前記バルーンの内表面から前記バルーン表面電極の表面に至る多数の灌注用貫通孔が形成されており、
前記カテーテルシャフトは、前記液体を流通させるための前記ルーメンおよび前記導線を挿通させるための前記ルーメンとともに、前記電極カテーテルを挿通させるためのルーメンを有し、
前記先端チップには、前記電極カテーテルを挿通させるための前記ルーメンと連通する開口が形成され；
前記電極カテーテルは、カテーテル本体と、前記カテーテル本体の先端側に接続され、複数の電極を有するリング状のカテーテル先端部とを備えてなり、
前記電極カテーテルのカテーテル先端部は、前記バルーン型アブレーションカテーテルの先端チップに形成された前記開口からの延び出しが可能であることを特徴とするアブレーションカテーテル装置。
【請求項２】
前記バルーン型アブレーションカテーテルの前記先端チップには、前記電極カテーテルを挿通させるための前記ルーメンと連通するとともに、前記先端チップの側周面において開口する側孔が形成され、
前記電極カテーテルのカテーテル先端部は、前記バルーン型アブレーションカテーテルの先端チップに形成された前記側孔に挿通されて、前記側孔の開口からの延び出しが可能であることを特徴とする請求項１に記載のアブレーションカテーテル装置。
【請求項３】
前記バルーン表面電極を構成する金属薄膜は、金、プラチナ合金またはコバルトクロム合金からなる膜厚２．５〜１０．０μｍの薄膜であることを特徴とする請求項１または２に記載のアブレーションカテーテル装置。
【請求項４】
拡張時における前記バルーンは、バルーン長（Ｌ）に対するバルーン径（Ｄ）の比（Ｄ／Ｌ）が１．１〜５．０の略回転楕円体であることを特徴とする請求項１〜３の何れかに記載のアブレーションカテーテル装置。
【請求項５】
前記バルーンの最大径部よりも先端側の外表面に前記バルーン表面電極が形成されていることを特徴とする請求項１〜４の何れかに記載のアブレーションカテーテル装置。
【請求項６】
前記バルーンの最大径部よりも先端側の外表面において、前記バルーンの中心軸の周りに輪帯状の前記バルーン表面電極が形成されていることを特徴とする請求項１〜４の何れかに記載のアブレーションカテーテル装置。
【請求項７】
前記バルーン表面電極は、前記バルーンの周方向に沿って等角度間隔に分割された複数の電極セグメントからなり、各々の電極セグメントから異なる電力が供給可能であることを特徴とする請求項１〜６の何れかに記載のアブレーションカテーテル装置。
【請求項８】
前記先端チップが電極であることを特徴とする請求項１〜７の何れかに記載のアブレーションカテーテル装置。
【発明の詳細な説明】
【技術分野】
【０００１】
本発明は、肺静脈を電気的に隔離するためのバルーン型アブレーションカテーテルに関する。
【背景技術】
【０００２】
最近、不整脈の発生部位である肺静脈を左房から電気的に隔離するためのアブレーションカテーテルとして、カテーテルシャフトと、カテーテルシャフトの先端側に装着されたバルーンと、バルーンの内部に配置されたバルーン内電極およびバルーン内温度センサとを備えてなるバルーン型アブレーションカテーテルが紹介されている（例えば、特許文献１参照）。
【０００３】
このようなバルーン型アブレーションカテーテルによれば、カテーテルシャフトの先端側に装着されたバルーンを、その内部に液体を供給することによって拡張させ、拡張したバルーンを肺静脈口を塞ぐようにして押し当て、バルーン内電極と対極板との間に高周波電流を通電して、バルーンの内部に供給された液体を昇温（例えば６０℃以上）させて、バルーンの表面を加熱することにより、バルーンの表面と接触している肺静脈口の周囲（肺静脈と左房壁の接合部および肺静脈周囲の左房壁）における心筋組織を輪帯状（面状）に焼灼することができる。
【０００４】
これにより、肺静脈を隔離するアブレーションラインを形成するために数十回にわたる点状の焼灼を繰り返す必要はなく、１回の焼灼によって１つの肺静脈の隔離を行うことができ、手技時間の短縮化および患者の負担軽減を図ることができる。
【先行技術文献】
【特許文献】
【０００５】
【特許文献１】特開２０１０−２６８９３３号公報
【発明の概要】
【発明が解決しようとする課題】
【０００６】
しかしながら、上記特許文献１に記載されているようなバルーン型アブレーションカテーテルにおいては下記のような問題がある。
【０００７】
（１）バルーン（加熱された拡張用の液体）の有する熱エネルギーが、バルーンの表面と接触している心筋組織の内部（深部）まで伝導されにくいため、心筋組織の表面近傍のみが焼灼されて、心筋組織の深部において十分なリージョン（焼灼巣）が形成されない。
【０００８】
（２）バルーンの表面全体が高温（焼灼可能温度）となっており、心筋組織に接触していないバルーンの表面近傍において血栓が形成されやすい。
【０００９】
（３）バルーンの表面全体が高温（焼灼可能温度）となっているため、バルーンの表面に心臓の健常部位が接触した場合に、当該健常部位が焼灼されてしまうことがある。
【００１０】
本発明は以上のような事情に基いてなされたものである。
本発明の目的は、心筋組織の深部に至るリージョン（焼灼巣）を形成することができ、手技中においてバルーンの表面近傍に血栓が形成されにくく、バルーンの表面に心臓の健常部位が接触しても当該健常部位が焼灼されてしまうようなことのないバルーン型アブレーションカテーテルを提供することにある。
【課題を解決するための手段】
【００１１】
（１）本発明のアブレーションカテーテル装置は、肺静脈を電気的に隔離するためのバルーン型アブレーションカテーテルと、肺静脈電位測定用の電極カテーテルとを備えてなるアブレーションカテーテル装置であって；
前記バルーン型アブレーションカテーテルは、複数のルーメンを有するカテーテルシャフトと、
前記カテーテルシャフトの先端に装着された先端チップと、
前記カテーテルシャフトの先端部分を内包するように前記カテーテルシャフトに装着され、前記カテーテルシャフトの何れかのルーメンを流通する液体がその内部に供給されることによって拡張するバルーンと、
前記バルーンの外表面の少なくとも一部に形成された金属薄膜からなり、患者の体表に貼付される対極板との間で高周波電流が通電されるバルーン表面電極と、
前記バルーン表面電極と電気的に接続されているとともに、前記カテーテルシャフトの何れかのルーメン（液体が流通する前記ルーメンとは異なるルーメン）に挿通された導線とを備え、
前記バルーン表面電極の形成領域の少なくとも一部において、前記バルーンを拡張するための液体を前記バルーン表面電極に灌注するために、前記バルーンの内表面から前記バルーン表面電極の表面に至る多数の灌注用貫通孔が形成されており、
前記カテーテルシャフトは、前記液体を流通させるための前記ルーメンおよび前記導線を挿通させるための前記ルーメンとともに、前記電極カテーテルを挿通させるためのルーメンを有し、
前記先端チップには、前記電極カテーテルを挿通させるための前記ルーメンと連通する開口が形成され；
前記電極カテーテルは、カテーテル本体と、前記カテーテル本体の先端側に接続され、複数の電極を有するリング状のカテーテル先端部とを備えてなり、
前記電極カテーテルのカテーテル先端部は、前記バルーン型アブレーションカテーテルの先端チップに形成された前記開口からの延び出しが可能であることを特徴とする。
（２）本発明のアブレーションカテーテル装置において、前記バルーン型アブレーションカテーテルの前記先端チップには、前記電極カテーテルを挿通させるための前記ルーメンと連通するとともに、前記先端チップの側周面において開口する側孔が形成され、
前記電極カテーテルのカテーテル先端部は、前記バルーン型アブレーションカテーテルの先端チップに形成された前記側孔に挿通されて、前記側孔の開口からの延び出しが可能であることが好ましい。
【００１２】
このような構成のバルーン型アブレーションカテーテルによれば、バルーン表面電極と、患者の体表に貼付される対極板との間で通電される高周波電流によって、バルーン表面電極と接触している心筋組織の深部においても十分に加熱（高周波加熱）されるので、心筋組織の表面から深部に至るリージョン（焼灼巣）を確実に形成することができる。
【００１３】
また、このような構成のバルーン型アブレーションカテーテルによれば、焼灼しようとする心筋組織が接触しているバルーン表面電極の近傍は高温（焼灼可能温度）となるが、バルーン表面電極が形成されていないバルーンの表面および心筋組織からある程度離間しているバルーン表面電極の近傍が高温となることはないので、これらの近傍における血栓の形成を防止することができる。
【００１４】
また、バルーン表面電極は、灌注用貫通孔を通って供給される液体によって灌注されるので、心筋組織からの離間距離が短くて血流が滞っているような場所においても、血栓の形成を確実に防止することができる。
【００１５】
また、前述した従来のバルーン型アブレーションカテーテルでは、バルーン（加熱された拡張用の液体）の有する熱エネルギーによって心筋組織を焼灼するため、熱エネルギーの供給をストップさせたとしても、加熱された拡張用の液体の温度を低下させるのに時間がかかり、バルーンの表面に心臓の健常部位が接触した場合に当該健常部位が焼灼されてしまう虞がある。これに対して、本発明のバルーン型アブレーションカテーテルによれば、バルーン（バルーン表面電極）の表面に心臓の健常部位が接触しても、バルーン表面電極が形成されていないバルーンの表面は高温とならず、また、バルーン表面電極に健常部位が接触した場合には、高周波電流の通電を停止することによりバルーン表面電極近傍の温度を直ちに低下させることができるので、当該健常部位が焼灼されるリスクを低減することができる。
【００１６】
（３）本発明のアブレーションカテーテル装置が備えるバルーン型アブレーションカテーテルにおいて、前記バルーン表面電極を構成する金属薄膜は、金、プラチナ合金またはコバルトクロム合金からなる膜厚２．５〜１０．０μｍの薄膜であることが好ましい。
【００１７】
（４）本発明のアブレーションカテーテル装置が備えるバルーン型アブレーションカテーテルにおいて、拡張時における前記バルーンは、バルーン長（Ｌ）に対するバルーン径（Ｄ）の比（Ｄ／Ｌ）が１．１〜５．０の略回転楕円体（扁平楕円体）であることが好ましい。
【００１８】
（５）本発明のアブレーションカテーテル装置が備えるバルーン型アブレーションカテーテルにおいて、前記バルーンの最大径部よりも先端側の外表面に前記バルーン表面電極が形成されていることが好ましい。
【００１９】
（６）特に、前記バルーンの最大径部よりも先端側の外表面において、前記バルーンの中心軸の周りに輪帯状の前記バルーン表面電極が形成されていてもよい。
【００２０】
（７）本発明のアブレーションカテーテル装置が備えるバルーン型アブレーションカテーテルにおいて、前記バルーン表面電極は、前記バルーンの周方向に沿って等角度間隔に分割された複数の電極セグメントからなり、各々の電極セグメントから異なる電力が供給可能であることが好ましい。
【００２１】
（８）本発明のアブレーションカテーテル装置が備えるバルーン型アブレーションカテーテルにおいて、前記先端チップが電極であることが好ましい。
【発明の効果】
【００２２】
本発明のバルーン型アブレーションカテーテルによれば、心筋組織の深部に至るリージョン（焼灼巣）を形成することができ、手技中において、バルーンの表面（バルーン表面電極）近傍に血栓が形成されにくく、バルーンの表面（バルーン表面電極）に心臓の健常部位が接触しても、高周波電流の通電を停止することによりバルーン表面電極近傍の温度を直ちに低下させることができるので、当該健常部位が焼灼されるリスクを低減することができる。
【図面の簡単な説明】
【００２３】
【図１】本発明の第１実施形態に係るアブレーションカテーテルを示す概略正面図である。
【図２】図１に示したアブレーションカテーテルの先端部分を示す斜視図である。
【図３】図１に示したアブレーションカテーテルの先端部分を示す斜視図である。
【図４】図１に示したアブレーションカテーテルの先端部分を示す斜視図である。
【図５】図１に示したアブレーションカテーテルの先端部分の横断面図である。
【図６】図１に示したアブレーションカテーテルの先端部分の縦断面図（図５のVI−VI断面図）である。
【図７】図１に示したアブレーションカテーテルの先端部分の縦断面図（図５の VII−VII 断面図）である。
【図８】図１に示したアブレーションカテーテルの先端部分の縦断面図（図５のVIII−VIII断面図）である。
【図９】図１に示したアブレーションカテーテルの使用状態を示す斜視図である。
【図１０】本発明の第２実施形態に係るアブレーションカテーテルを構成するバルーン表面電極の形状を示す説明図である。
【図１１】本発明の第３実施形態に係るアブレーションカテーテルを構成するバルーン表面電極の形状を示す説明図である。
【図１２】本発明の第４実施形態に係るアブレーションカテーテルを構成するバルーン表面電極の形状を示す説明図である。
【図１３】本発明の第５実施形態に係るアブレーションカテーテルを構成するバルーン表面電極の形状を示す説明図である。
【発明を実施するための形態】
【００２４】
＜第１実施形態＞
図１〜図８に示すこの実施形態のバルーン型アブレーションカテーテル１００は、肺静脈を電気的に隔離するためのアブレーションカテーテルであって、７つのルーメン１１〜１７が形成された樹脂製のマルチルーメンチューブからなるカテーテルシャフト１０と、このカテーテルシャフト１０の後端に接続された制御ハンドル２０と、カテーテルシャフト１０の先端に装着された先端チップ３０と、この先端チップ３０と電気的に接続されるとともにカテーテルシャフト１０の第５ルーメン１５に挿通された導線３５と、カテーテルシャフト１０の第４ルーメン１４に挿通され、後端が引張操作可能な第１操作用ワイヤ４１と、カテーテルシャフト１０の第７ルーメン１７に挿通され、後端が引張操作可能な第２操作用ワイヤ４２と、カテーテルシャフト１０の先端部分を内包するようにして当該カテーテルシャフト１０に装着され、カテーテルシャフト１０の第３ルーメン１３および／または第６ルーメン１６を流通する生理食塩水がその内部に供給されることによって拡張するバルーン５０と、このバルーン５０の外表面の少なくとも一部（最大径部５５より先端側の外表面）に形成された金の薄膜からなり、患者の体表に貼付される対極板との間で高周波電流が通電されるバルーン表面電極７０と、このバルーン表面電極７０と電気的に接続されるとともにカテーテルシャフト１０の第５ルーメン１５に挿通された導線７５と、カテーテルシャフト１０の内部（第３ルーメン１３および第６ルーメン１６）に生理食塩水を供給するための注入管８０とを備え、バルーン表面電極７０の形成領域の少なくとも一部において、バルーン５０を拡張するための生理食塩水をバルーン表面電極７０に灌注するために、バルーン５０の内表面からバルーン表面電極７０の表面に至る（バルーン５０の壁およびバルーン表面電極７０を構成する薄膜を貫通する）多数の灌注用貫通孔９０が形成されている。
【００２５】
図５〜図８に示すように、アブレーションカテーテル１００を構成するカテーテルシャフト１０には、７つのルーメン（中央ルーメンである第１ルーメン１１と、サブルーメンである第２ルーメン１２〜第７ルーメン１７）が形成されている。
【００２６】
ここで、カテーテルシャフト１０の外径は、通常２．０〜５．０ｍｍとされる。
また、カテーテルシャフト１０の長さは、通常６００〜１５００ｍｍとされる。
カテーテルシャフト１０の構成材料としては、ポリアミド、ポリエーテルポリアミド、ポリウレタン、ポリエーテルブロックアミド（ＰＥＢＡＸ）（登録商標）およびナイロンなどの熱可塑性樹脂を挙げることができ、これらのうちＰＥＢＡＸが好ましい。
【００２７】
カテーテルシャフト１０の第１ルーメン１１にはガイドワイヤが挿通される（後述するように、アブレーションカテーテル１００は、左房（ＬＡ）に到達させ易いようにガイドワイヤが使用される場合がある）。
また、図５および図６に示すように、第２ルーメン１２には、肺静脈の電位を測定するための電極カテーテル１５０が挿通されている。
図２および図３に示すように、この電極カテーテル１５０は、カテーテル本体１５２と、カテーテル本体１５２の先端側に接続されたリング状のカテーテル先端部１５１とを有しており、このカテーテル先端部１５１には、複数の電極（図示省略）が装着されている。ここに、好適な電極カテーテル１５０としては、本出願人の出願に係る特許第４０２７４１１号公報に記載されているような、円形のループ状に形成されたカテーテル先端部を有し、カテーテル先端部には、その外周に複数のリング状電極が装着されている肺静脈の電位を測定可能な電極カテーテルを挙げることができる。
【００２８】
図５および図７に示すカテーテルシャフト１０の第３ルーメン１３および第６ルーメン１６の少なくとも一方には、バルーン５０を拡張させるための生理食塩水が流通される。第３ルーメン１３を流通する生理食塩水を、カテーテルシャフト１０の先端部分の外周面に形成されている開口１３Ａから放出させることにより、また、第６ルーメン１６を流通する生理食塩水を、カテーテルシャフト１０の先端部分の外周面に形成されている開口１６Ａから放出させることによって、カテーテルシャフト１０の先端部分を内包するバルーン５０の内部に生理食塩水が供給され、これにより、バルーン５０を拡張させることができる。
なお、開口１３Ａおよび開口１６Ａの何れか一方からバルーン５０の内部に生理食塩水を放出するとともに、バルーン５０の内部の生理食塩水を開口１３Ａおよび開口１６Ａの何れか他方からルーメンに戻すようにしてもよい。
【００２９】
図５および図８に示すように、カテーテルシャフト１０の第４ルーメン１４には、第１操作用ワイヤ４１が挿通されており、また、第７ルーメン１７には第２操作用ワイヤ４２が挿通されている。
【００３０】
図５および図６に示すように、カテーテルシャフト１０の第５ルーメン１５には、バルーン表面電極７０の導線７５および先端チップ３０の導線３５が挿通されている。
【００３１】
カテーテルシャフト１０の後端には制御ハンドル２０が接続されている。
アブレーションカテーテル１００を構成する制御ハンドル２０の内部には、複数の端子を備えたコネクタ（図示省略）が設けられ、コネクタの端子には、バルーン表面電極７０の導線７５の後端および先端チップ３０の導線３５の後端が接続されている。
また、制御ハンドル２０には、カテーテルシャフト１０の先端部分を曲げる操作を行うための摘み２５が装着されている。
【００３２】
図８に示すように、第１操作用ワイヤ４１および第２操作用ワイヤ４２の各々の先端は、カテーテルシャフト１０の先端部分（バルーン５０の後端位置より僅かに後端側）に固定されている。
一方、第１操作用ワイヤ４１および第２操作用ワイヤ４２の各々の後端は、制御ハンドル２０の摘み２５に接続されている。
【００３３】
これにより、制御ハンドル２０の摘み２５を図１の矢印Ａ１に示す方向に回転させて第１操作用ワイヤ４１を引張操作することにより、カテーテルシャフト１０の先端部分を第１方向（同図の矢印Ａに示す方向）に曲げることができる。
また、制御ハンドル２０の摘み２５を図１の矢印Ｂ１に示す方向に回転させて第２操作用ワイヤ４２を引張操作することにより、カテーテルシャフト１０の先端部分を第２方向（同図の矢印Ｂに示す方向）に曲げることができる。
【００３４】
アブレーションカテーテル１００を構成するバルーン５０は、カテーテルシャフト１０の先端部分（先端部分の長さ方向の一部）を内包するようにして、当該カテーテルシャフト１０に装着されている。
このバルーン５０は、カテーテルシャフト１０の第３ルーメン１３および／または第６ルーメン１６を流通する生理食塩水がその内部に供給されることにより拡張し、拡張したバルーン５０は、肺静脈口を塞ぐようにして、肺静脈口の周囲（肺静脈と左房壁の接合部および肺静脈周囲の左房壁）に押し当てられる。
【００３５】
バルーン５０の構成材料としては、従来公知のバルーンカテーテルを構成するバルーンと同一のものを使用することができ、ポリウレタン系の高分子材料がより好ましい。
ここに、ポリウレタン系の高分子材料としては、例えば熱可塑性ポリエーテルウレタン、ポリエーテルポリウレタンウレア、フッ素ポリエーテルウレタンウレア、ポリエーテルポリウレタンウレア樹脂およびポリエーテルポリウレタンウレアアミドなどを挙げることができる。
【００３６】
バルーン５０の形状としては、肺静脈口の周囲に対して適合（フィット）できる形状であれば特に限定されるものではないが、略回転楕円体、特に、楕円の短軸を回転軸とする回転楕円体（扁平楕円体）であることが好ましい。
【００３７】
そのような略回転楕円体（扁平楕円体）の形状を有するバルーン５０において、拡張時における径（図６に示したバルーン径Ｄ）としては５〜５０ｍｍであることが好ましく、更に好ましくは１０〜３５ｍｍとされる。
また、バルーン５０の拡張時における長さ（図６に示したバルーン長Ｌ）としては１〜１５ｍｍであることが好ましく、更に好ましくは５〜１０ｍｍとされる。
【００３８】
そして、バルーン長（Ｌ）に対するバルーン径（Ｄ）の比（Ｄ／Ｌ）としては、１．１〜５．０であることが好ましく、更に好ましくは１．５〜３．０とされる。
比（Ｄ／Ｌ）の値が１．１以上であることにより、肺静脈口の周囲（肺静脈と左房壁の接合部および肺静脈周囲の左房壁）にフィットしやすくなり、後述するバルーン表面電極７０によって肺静脈口の周囲を輪帯状に焼灼することができる。
【００３９】
比（Ｄ／Ｌ）の値が１．１未満であるバルーンでは、これを肺静脈口の周囲に押し当てようとするときに、肺静脈の奥側まで挿入されることがあり、その位置で焼灼することによって肺静脈狭窄を起こすおそれがある。
他方、比（Ｄ／Ｌ）の値が５．０を超える場合には、そのようなバルーンを折り畳んでカテーテルシャフトに巻き付けたときの外径（ラッピング径）が過大となるおそれがある。
【００４０】
本実施形態のアブレーションカテーテル１００は、高周波電流を通電させるための電極（バルーン表面電極７０）が、バルーンの内部にあるのではなく、バルーン５０の外表面に形成されている点に特徴がある。
アブレーションカテーテル１００を構成するバルーン表面電極７０は、バルーン５０の最大径部５５より先端側の外表面全域に形成された金の薄膜からなる。
【００４１】
バルーン表面電極７０を構成する薄膜の膜厚としては２．５〜１０．０μｍであることが好ましく、更に好ましくは３．０〜５．０μｍとされる。
この膜厚が２．５μｍ未満である場合には、手技中（高周波通電中）において、薄膜により構成されるバルーン表面電極がジュール熱により高温となるおそれがある。
他方、薄膜の膜厚が１０．０μｍを超える場合には、拡張・収縮時におけるバルーンの形状変化に当該薄膜（バルーン表面電極）が追従しにくくなり、バルーンの拡張・収縮性が損なわれることがある。
【００４２】
バルーン表面電極７０を構成する金の薄膜をバルーン５０の外表面に形成する方法としては特に限定されるものではなく、蒸着、スパッタリング、メッキなど、通常の薄膜形成方法を採用することができる。
【００４３】
バルーン表面電極７０は、バルーン５０の最大径部５５より先端側の外表面に形成されており、最大径部５５より後端側の外表面には形成されていない。
これにより、実質的に焼灼に使用しない（加熱する必要のない）バルーン５０の後端側の表面が高温となることはなく、バルーン５０の後端側の表面の近傍において血栓を形成したり、バルーン５０の後端側の表面に接触した健常部位が焼灼されたりすることを回避することができる。
また、バルーン５０の先端側の外表面のみにバルーン表面電極７０が形成されていることにより、バルーン５０の先後位置をＸ線画像（心臓シネ（ＣＩＮＥ）画像）により容易に把握することができる。
【００４４】
アブレーションカテーテル１００を構成する導線７５（バルーン表面電極７０の導線）は、カテーテルシャフト１０の第５ルーメン１５に挿通され、その先端は、図４〜図６に示した金属薄膜からなるリード７７を介して、バルーン表面電極７０に接続されている。
一方、導線７５の後端は、制御ハンドル２０の内部に配置されたコネクタに接続されている。
【００４５】
導線７５の構成材料としては、例えば、銅、銀、金、白金、タングステンおよびこれら金属の合金を挙げることができ、短絡を防止する観点から、フッ素樹脂などの電気絶縁性保護被覆が施されていることが好ましい。
【００４６】
カテーテルシャフト１０の先端に装着されてアブレーションカテーテル１００を構成する先端チップ３０は、バルーン５０の先端よりも更に先端側に位置している。
【００４７】
先端チップ３０は、患者の体表に貼付される対極板との間で高周波電流を通電することができ、従来公知のアブレーションカテーテルと同様に点状の焼灼（スポットアブレーション）を行うことができる。これにより、バルーン表面電極７０による焼灼で肺静脈の完全な隔離ができなかった場合（例えば、肺静脈口の周囲にバルーン表面電極７０を十分フィットさせることができなかった場合）などに、この先端チップ３０による焼灼を行ってタッチアップすることができる。
先端チップ３０の構成材料としては、例えば、金、銀、プラチナ、銅およびこれら金属の合金を挙げることができる。なお、先端チップ３０は全体が金属でなくても良く、先端チップ３０の後端部分に樹脂を有していてもよい。この場合の樹脂の構成材料としては、ポリアミド、ポリエーテルポリアミド、ポリウレタン、ポリエーテルブロックアミド（ＰＥＢＡＸ）（登録商標）およびナイロンなどの熱可塑性樹脂、またはシリコーンなどの熱硬化性樹脂を挙げることができる。
【００４８】
先端チップ３０には、その中心軸上において、カテーテルシャフト１０の第１ルーメン１１に連通するガイドワイヤルーメン３１（貫通孔）が形成されている。
また、この先端チップ３０には、カテーテルシャフト１０の内部（第２ルーメン１２）と連通するとともに、当該先端チップ３０の側周面において開口する側孔３２が形成されている。
これにより、図２に示すように、カテーテルシャフト１０の内部（第２ルーメン１２）に挿通されている電極カテーテル１５０のカテーテル先端部１５１を側孔３２の開口から延び出させることができる。
【００４９】
アブレーションカテーテル１００を構成する導線３５（先端チップ３０の導線）は、カテーテルシャフト１０の第５ルーメンに挿通され、第５ルーメンから延び出して先端チップ３０に接続固定されている。
一方、導線３５の後端は、制御ハンドル２０の内部に配置されたコネクタに接続されている。
導線３５の構成材料としては、導線７５と同様の金属および合金を挙げることができ、電気絶縁性保護被覆が施されていることが好ましい。
【００５０】
本実施形態のアブレーションカテーテル１００には、バルーン５０の先端の近傍および最大径部５５の近傍を除いたバルーン表面電極７０の形成領域において、バルーン５０を拡張するための生理食塩水をバルーン表面電極７０に灌注するために、バルーン５０の内表面からバルーン表面電極７０の表面に至る（バルーン５０の壁および薄膜を貫通する）多数の灌注用貫通孔９０が形成されている。
【００５１】
ここに、灌注用貫通孔９０の孔径としては、特に限定されるものではないが、例えば５〜８０μｍとされる。
また、灌注用貫通孔９０の形成密度としても限定されないが、例えば１０〜１００個／ｃｍ2 とされる。
【００５２】
灌注用貫通孔９０の形成方法（穿孔方法）としては、レーザ加工やパンチング加工などを例示することができる。
なお、灌注用貫通孔９０の形成は、バルーン表面電極７０となる薄膜が表面に形成されてなるシート状のバルーン形成材料に対して行うことが好ましい。
【００５３】
この実施形態のアブレーションカテーテル１００を使用して行われる焼灼治療（手技）としては、予め左房（ＬＡ）に挿入されたガイドワイヤに沿ってアブレーションカテーテル１００のバルーン５０を左房（ＬＡ）に到達させ、図９に示すように、バルーン５０の外表面に形成されているバルーン表面電極７０を、目的とする肺静脈口の周囲（肺静脈（ＰＶ）と左房壁の接合部および肺静脈周囲の左房壁）に押し当てて、このバルーン表面電極７０と、患者の体表に貼付される対極板との間で高周波電流を通電する。ここに通電時間としては、通常、１０〜１２０秒間程度とされる。これにより、肺静脈口の周囲が輪帯状に焼灼される。
なお、電極カテーテル１５０（図９において図示省略）によって焼灼前後の電位を測定することにより十分な焼灼が行われたか否かを判断することができ、十分な焼灼が行われたと判断した場合には、この肺静脈における焼灼治療を完了する。また、焼灼が不十分でタッチアップが必要と判断した場合には、バルーン５０を折り畳み、先端チップ３０による点状の焼灼治療を行うことができる。
【００５４】
本実施形態のアブレーションカテーテル１００によれば、バルーン表面電極７０と、患者の体表に貼付される対極板との間で通電される高周波電流によって、バルーン表面電極７０と接触している心筋組織の深部を十分に加熱（高周波加熱）することができるので、心筋組織の表面から深部に至るリージョン（焼灼巣）を確実に形成することができる。
さらに説明すると、従来のバールン型アブレーションでは、バルーン内部の液体が６０℃程度に加熱され、その熱で心筋表面が焼灼されることになる。そのため、バルーンが接している心筋表面は焼灼されるが、その熱は深部へは十分に伝わりにくい。これに対して、高周波加熱の場合には、体表の対極板（例えば患者の背中全面に貼られるもの）とバルーン表面電極との間の高周波電流によって心筋組織が加熱される。そのため、高周波電流は心筋組織から見ると深部方向に流れることにる。そして、対極板とバルーン表面電極との表面積の違いにより、高周波電流を通電すると心筋組織付近の電流密度が高くなることになり、心筋組織付近（深部方向）の加熱が行われる。そのため、高周波加熱の場合には、心筋の深部方向へのリージョンが確実に形成される。
【００５５】
また、バルーン表面電極７０が形成されてないバルーン５０の表面（最大径部５５より後端側の外表面）および心筋組織からある程度離間しているバルーン表面電極７０の表面近傍は高温となることはないので、これらの近傍における血栓の形成を防止することができる。
【００５６】
また、バルーン表面電極７０の表面は、灌注用貫通孔を通って供給される生理食塩水によって灌注されるので、心筋組織からの離間距離が短くて血流が滞っているような場所であっても、血栓の形成を確実に防止することができる。
【００５７】
また、前述した従来のバルーン型アブレーションカテーテルでは、バルーン（加熱された拡張用の液体）の有する熱エネルギーによって心筋組織を焼灼するため、熱エネルギーの供給をストップさせたとしても、加熱された拡張用の液体の温度を低下させるのに時間がかかり、バルーンの表面に心臓の健常部位が接触した場合に当該健常部位が焼灼されてしまう虞がある。これに対して、本実施形態のアブレーションカテーテル１００によれば、バルーン５０（バルーン表面電極７０）の表面に健常部位が接触したとしても、バルーン表面電極７０が形成されていないバルーン５０の表面は高温になることはなく、また、バルーン表面電極７０に健常部位が接触した場合には高周波電流の通電を停止することによってバルーン表面電極７０の近傍の温度を直ちに低下させることができるので、当該健常部位が焼灼されるリスクを低減することができる。
【００５８】
＜第２実施形態＞
本実施形態のアブレーションカテーテルは、バルーン表面電極の構成が第１実施形態のバルーン表面電極７０と異なっている。
図１０に示すように、アブレーションカテーテル２００を構成するバルーン表面電極２７０は、バルーン５０の先端側の外表面において、バルーン５０の周方向に沿って等角度（１８０°）間隔に分割形成された２つの電極セグメント２７０Ａおよび２７０Ｂからなる。
電極セグメント２７０Ａおよび電極セグメント２７０Ｂにはそれぞれ異なる導線が接続されており、電極セグメント２７０Ａおよび電極セグメント２７０Ｂからは互いに異なる電力を供給することができる。また、電極セグメント２７０Ａおよび電極セグメント２７０Ｂには、それぞれ異なる温度センサ（図示省略）が装着され、独立した温度制御が可能になっている。
【００５９】
解剖学的に、４つの肺静脈口は、何れも、左房前壁と左房後壁の境界に位置しているため、バルーン表面電極が押し当てられる肺静脈口の周囲は、左房前壁を構成する領域と、左房後壁を構成する領域とに分けられる。
ここに、左房前壁における心筋は相対的に肉厚であり、左房後壁における心筋は相対的に肉薄である。また、相対的に肉薄である左房後壁の後側には食道が位置している。
このため、肺静脈口の周囲に対して、左房後壁を構成する心筋組織に好適な電力を与えると、左房前壁を構成する心筋組織を十分に焼灼できなくなり、左房前壁を構成する心筋組織に好適な電力を与えると、左房後壁を構成する心筋組織が過剰な焼灼を受けたり、食道が過熱されて食道瘻などを起こしたりすることがある。
【００６０】
本実施形態のアブレーションカテーテル２００によれば、左房前壁を構成する心筋組織に対しては、電極セグメント２７０Ａおよび２７０Ｂの何れか一方によって相対的に高い電力を供給し、左房後壁を構成する心筋組織に対しては、電極セグメント２７０Ａおよび２７０Ｂの何れか他方によって相対的に低い電力を供給することができ、これにより、肺静脈口の周囲の全域にわたり良好な焼灼治療を行うことができる。
【００６１】
＜第３実施形態＞
図１１に示すように、本実施形態のアブレーションカテーテル３００は、これを構成するバルーン表面電極３７０が、バルーン５０の先端側の外表面において、バルーン５０の周方向に沿って等角度（１２０°）間隔に分割形成された３つの電極セグメント３７０Ａ，３７０Ｂおよび３７０Ｃからなる。
電極セグメント３７０Ａ，３７０Ｂおよび３７０Ｃにはそれぞれ異なる導線が接続されており、これらの電極セグメントからは互いに異なる電力を供給することができる。
また、電極セグメント３７０Ａ，３７０Ｂおよび３７０Ｃには、それぞれ異なる温度センサ（図示省略）が装着され、独立した温度制御が可能になっている。
このアブレーションカテーテル３００によれば、バルーン表面電極３７０が押し当てられる肺静脈口の周囲における心筋組織に対して、領域ごとに異なる状況（肉厚など）に応じて適切な出力制御（温度制御）を行うことができる。
【００６２】
＜第４実施形態＞
図１２に示すように、本実施形態のアブレーションカテーテル４００は、これを構成するバルーン表面電極４７０が、バルーン５０の先端側の外表面において、バルーン５０の周方向に沿って等角度（９０°）間隔に分割形成された４つの電極セグメント４７０Ａ，４７０Ｂ，４７０Ｃおよび４７０Ｄからなる。
電極セグメント４７０Ａ，４７０Ｂ，４７０Ｃおよび４７０Ｄにはそれぞれ異なる導線が接続されており、これらの電極セグメントからは互いに異なる電力を供給することができる。  また、電極セグメント４７０Ａ，４７０Ｂ，４７０Ｃおよび４７０Ｄにはそれぞれ異なる温度センサ（図示省略）が装着され、独立した温度制御が可能になっている。
このアブレーションカテーテル４００によれば、バルーン表面電極４７０が押し当てられる肺静脈口の周囲における心筋組織に対して、領域ごとに異なる状況（肉厚など）に応じて更に適切な出力制御（温度制御）を行うことができる。
【００６３】
＜第５実施形態＞
図１３に示すように、本実施形態のアブレーションカテーテル５００は、バルーン５０の先端側の外表面において、バルーン５０の中心軸の周りに周方向に延びる輪帯状のバルーン表面電極５７０が形成されている。
このアブレーションカテーテル５００によれば、輪帯状に形成されたバルーン表面電極５７０によって肺静脈口の周囲（肺静脈と左房壁の接合部および肺静脈周囲の左房壁）における心筋組織を確実に焼灼することができるとともに、バルーン５０の先端部分の表面には電極となる薄膜が形成されていないので、高周波通電中にバルーン５０の先端部分が高温になって血栓が形成されるようなことがない。さらに、バルーン表面電極５７０の表面積が、第１実施形態のアブレーションカテーテル１００を構成するバルーン表面電極７０の表面積よりも小さくなることで電流密度が高くなり、同一出力下での焼灼効果も高くなる。
【００６４】
以上、本発明の実施形態について説明したが、本発明はこれらに限定されるものではなく、種々の変更が可能である。
例えば、バルーン表面電極は、バルーンの外表面の全体に形成されていてもよい。
また、バルーンは、回転楕円体（扁平楕円体）以外の形状を有していてもよく、最大径部の先後の形状が異なっていてもよい。
また、先端チップは電極でなくてもよい。
【符号の説明】
【００６５】
１００  アブレーションカテーテル
１０  カテーテルシャフト
１１〜１７  ルーメン
１３Ａ  開口
１６Ａ  開口
２０  制御ハンドル
２５  摘み
３０  先端チップ
３１  ガイドワイヤルーメン
３２  側孔
３５  導線
４１  第１操作用ワイヤ
４２  第２操作用ワイヤ
５０  バルーン
５５  最大径部
７０  バルーン表面電極
７５  導線
７７  リード
８０  注入管
９０  灌注用貫通孔
１５０  電極カテーテル
１５１  カテーテル先端部
２００  アブレーションカテーテル
２７０  バルーン表面電極
２７０Ａ，２７０Ｂ  電極セグメント
３００  アブレーションカテーテル
３７０  バルーン表面電極
３７０Ａ，３７０Ｂ，３７０Ｃ  電極セグメント
４００  アブレーションカテーテル
４７０  バルーン表面電極
４７０Ａ，４７０Ｂ，４７０Ｃ，４７０Ｄ  電極セグメント
５００  アブレーションカテーテル
５７０  バルーン表面電極
【図１】
0006308683.tif 000002
【図２】
0006308683.tif 000003
【図３】
0006308683.tif 000004
【図４】
0006308683.tif 000005
【図５】
0006308683.tif 000006
【図６】
0006308683.tif 000007
【図７】
0006308683.tif 000008
【図８】
0006308683.tif 000009
【図９】
0006308683.tif 000010
【図１０】
0006308683.tif 000011
【図１１】
0006308683.tif 000012
【図１２】
0006308683.tif 000013
【図１３】
0006308683.tif 000014